(57)【要約】【課題】伝導ノイズを簡単で正確に測定することを課題とする。【解決手段】ノイズ計測装置１は、ワイヤハーネス１〜５それぞれに対して所望の電流を供給した状態で、ループアンテナが移動させられた場合に、ループアンテナがワイヤハーネスそれぞれの上に位置する状態で検出した磁界に基づいて、ワイヤハーネスそれぞれに印加された電圧値を算出する。そして、ノイズ計測装置１は、算出されたワイヤハーネスそれぞれの電圧値と、予め算出した複数のワイヤハーネスごとのインピーダンスとに基づいて、複数のワイヤハーネスそれぞれに流れる電流値を算出する。その後、ノイズ計測装置１は、算出された複数のワイヤハーネスそれぞれに流れる電流値が閾値を超えるか否かにより、伝導ノイズを計測する。【選択図】        図１
2010151688.tif 000002
【特許請求の範囲】
【請求項１】
電子機器を接続する複数のワイヤハーネスの伝導ノイズを計測するノイズ計測装置であって、
前記複数のワイヤハーネスから所定の距離上で、前記複数のワイヤハーネスそれぞれに接触させることなく前記複数のワイヤハーネス全てを通過させるように、磁界を検出するセンサを移動させるセンサ移動手段と、
前記複数のワイヤハーネスそれぞれに対して所望の電流を供給した状態で、前記センサ移動手段により前記センサが移動させられた場合に、前記センサが前記複数のワイヤハーネスそれぞれの上に位置する状態で検出した磁界に基づいて、前記複数のワイヤハーネスそれぞれに印加された電圧値を算出する電圧算出手段と、
前記電圧算出手段により算出された前記ワイヤハーネスそれぞれの電圧値と、予め算出した前記複数のワイヤハーネスごとのインピーダンスとに基づいて、前記複数のワイヤハーネスそれぞれに流れる電流値を算出する電流値算出手段と、
前記電流値算出手段により算出された前記複数のワイヤハーネスそれぞれに流れる電流値に基づいて、前記伝導ノイズを計測するノイズ計測手段と、
を備えたことを特徴とするノイズ計測装置。
【請求項２】
前記電流値算出手段は、前記電圧算出手段により算出された前記ワイヤハーネスそれぞれの電圧値と、所定の状況を想定したシミュレーションにより算出した複数のワイヤハーネスごとのインピーダンスとに基づいて、前記複数のワイヤハーネスそれぞれに流れる電流値を算出することを特徴とする請求項１に記載のノイズ計測装置。
【請求項３】
前記センサ移動手段は、前記複数のワイヤハーネスそれぞれの中心から所定の距離上で、前記センサを移動させることを特徴とする請求項１または２に記載のノイズ計測装置。
【請求項４】
前記センサとして、エレメントを環状にしたループアンテナを用いることを特徴とする請求項１〜３のいずれか一つに記載のノイズ計測装置。
【請求項５】
電子機器を接続する複数のワイヤハーネスの伝導ノイズを計測するノイズ計測方法であって、
前記複数のワイヤハーネスから所定の距離上で、前記複数のワイヤハーネスそれぞれに接触させることなく前記複数のワイヤハーネス全てを通過させるように、磁界を検出するセンサを移動させるセンサ移動工程と、
前記複数のワイヤハーネスそれぞれに対して所望の電流を供給した状態で、前記センサ移動工程により前記センサが移動させられた場合に、前記センサが前記複数のワイヤハーネスそれぞれの上に位置する状態で検出した磁界に基づいて、前記複数のワイヤハーネスそれぞれに印加された電圧値を算出する電圧算出工程と、
前記電圧算出工程により算出された前記ワイヤハーネスそれぞれの電圧値と、予め算出した前記複数のワイヤハーネスごとのインピーダンスとに基づいて、前記複数のワイヤハーネスそれぞれに流れる電流値を算出する電流値算出工程と、
前記電流値算出工程により算出された前記複数のワイヤハーネスそれぞれに流れる電流値に基づいて、前記伝導ノイズを計測するノイズ計測工程と、
を含んだことを特徴とするノイズ計測方法。
【発明の詳細な説明】
【技術分野】
【０００１】
この発明は、電子機器を接続する複数のワイヤハーネスの伝導ノイズを算出するノイズ計測装置およびノイズ計測方法に関する。
【背景技術】
【０００２】
従来より、例えば、車載部品などの電子機器同士機器の接続に利用されるワイヤハーネス（ケーブルハーネス）の伝導ノイズを測定する場合には、電流プローブを測定対象となるワイヤハーネス１本ごとにクランプして、ノイズレベルを周波数領域で測定している。
【０００３】
具体的には、図６に示すように、測定対象のワイヤハーネスに、他からのノイズを影響を受けないようにシールド加工された電流プローブを固定して電流を供給し、その結果をスペクトルアナライザで計測する。続いて、次のワイヤハーネスに電流プローブを固定して電流を供給し、その結果をスペクトルアナライザで計測する。このように、測定対象のワイヤハーネスが１０本ある場合には、１本ずつ電流プローブを固定して電流を供給し、その結果をスペクトルアナライザで計測することにより、それぞれのワイヤハーネスの伝導ノイズ（ノイズレベル）を測定していた。
【０００４】
【特許文献１】特開２００２−１８１８５９号公報
【発明の開示】
【発明が解決しようとする課題】
【０００５】
しかしながら、上記した従来の技術は、伝導ノイズを測定するのに非常に多くの手間と時間が必要であるとともに、測定結果が正確でないという課題があった。
【０００６】
具体的には、上記した従来技術では、ノイズを測定する電流プローブにシールド加工を施す必要があり、伝導ノイズを測定する準備に手間がかかる。また、上記したように、測定対象となるワイヤハーネス１本１本に電気プローブを固定した上で伝導ノイズを測定する必要があり、測定対象のワイヤハーネスが１０本ある場合には上記作業を１０回行う必要がある。また、測定対象となるワイヤハーネスをシールドで加工して伝導ノイズを測定することから、例えば、隣り合うワイヤハーネス間のノイズなど、周辺ノイズの影響が考慮されておらず、全体として正確な測定結果とは言えない。
【０００７】
そこで、この発明は、上述した従来技術の課題を解決するためになされたものであり、伝導ノイズを簡単で正確に測定することが可能であるノイズ計測装置およびノイズ計測方法を提供することを目的とする。
【課題を解決するための手段】
【０００８】
上述した課題を解決し、目的を達成するため、本発明は、電子機器を接続する複数のワイヤハーネスの伝導ノイズを算出するノイズ計測装置であって、前記複数のワイヤハーネスから所定の距離上で、前記複数のワイヤハーネスそれぞれに接触させることなく前記複数のワイヤハーネス全てを通過させるように、磁界を検出するセンサを移動させるセンサ移動手段と、前記複数のワイヤハーネスそれぞれに対して所望の電流を供給した状態で、前記センサ移動手段により前記センサが移動させられた場合に、前記センサが前記複数のワイヤハーネスそれぞれの上に位置する状態で検出した磁界に基づいて、前記複数のワイヤハーネスそれぞれに印加された電圧値を算出する電圧算出手段と、前記電圧算出手段により算出された前記ワイヤハーネスそれぞれの電圧値と、予め算出した前記複数のワイヤハーネスごとのインピーダンスとに基づいて、前記複数のワイヤハーネスそれぞれに流れる電流値を算出する電流値算出手段と、前記電流値算出手段により算出された前記複数のワイヤハーネスそれぞれに流れる電流値に基づいて、前記伝導ノイズを計測するノイズ計測手段と、を備えたことを特徴とする。
【発明の効果】
【０００９】
本発明によれば、各ワイヤハーネスが周辺ノイズの影響を受けている状態で、各ワイヤハーネスの伝導ノイズを算出することができる結果、伝導ノイズを簡単で正確に測定することが可能である。
【発明を実施するための最良の形態】
【００１０】
以下に添付図面を参照して、この発明に係るノイズ計測装置およびノイズ計測方法の実施例を詳細に説明する。なお、以下では、本実施例に係るノイズ計測装置の概要、ノイズ計測装置の構成および処理の流れを順に説明し、最後に本実施例に対する種々の変形例を説明する。
【実施例１】
【００１１】
［ノイズ計測装置の概要］
最初に、本実施例に係るノイズ計測装置の概要を説明する。本実施例で説明するノイズ計測装置は、電子機器を接続する複数のワイヤハーネスの伝導ノイズを算出することを概要とするものであり、特に、伝導ノイズを簡単で正確に測定することが可能である。
【００１２】
具体的に例を挙げると、ノイズ計測装置は、測定対象となるワイヤハーネス１本に「１Ａ（アンペア）」の電流を供給し、それ以外のワイヤハーネスは「０Ａ（アンペア）」とする。その状態で、ノイズ計測装置は、複数のワイヤハーネスそれぞれに接触させることなく複数のワイヤハーネス全てを通過させるように、複数のワイヤハーネスから一定距離上でループアンテナなどのセンサを移動させて電圧を測定し、測定した電圧と電流（１Ａ）をオームの法則に代入して、インピーダンスを算出する。
【００１３】
次に、先ほど電流を流したワイヤハーネスとは異なるハーネスに「１Ａ（アンペア）」の電流を供給し、それ以外のワイヤハーネスは「０Ａ（アンペア）」とする。その状態で、ノイズ計測装置は、上記したようにセンサを移動させて電圧を測定し、測定した電圧と電流（１Ａ）をオームの法則に代入して、インピーダンスを算出する。つまり、ノイズ計測装置は、ワイヤハーネスが５本存在する場合には、上記した測定を５回繰り返し、ワイヤハーネスそれぞれが周辺ノイズを受けない状況で得られるインピーダンス（抵抗値：Ｚ）を算出する。このように、ノイズ計測装置は、ワイヤハーネスそれぞれの「インピーダンス（抵抗値：Ｚ）」を算出して記憶する。
【００１４】
その後、ノイズ計測装置は、電子機器を接続する複数のワイヤハーネスそれぞれに対して、実際に製品となったときに供給される特定周波数の電流値を供給する。その状態で、ノイズ計測装置は、複数のワイヤハーネスそれぞれに接触させることなく複数のワイヤハーネス全てを通過させるように、複数のワイヤハーネスから一定距離上でループアンテナなどのセンサを移動させる。
【００１５】
続いて、ノイズ計測装置は、ループアンテナなどのセンサが複数のワイヤハーネスそれぞれの上に位置する状態で検出した磁界から得られる「電圧」と、先に算出した「インピーダンス」とに基づいて（オームの法則の逆演算）、それぞれのワイヤハーネスの電流値を算出する。そして、ノイズ計測装置は、算出したワイヤハーネスごとの電流値それぞれが閾値を越えているか否かを判定することにより、ワイヤハーネスごとの伝導ノイズレベルを算出することができる。
【００１６】
このように、本実施例に係るノイズ計測装置は、周辺ノイズを遮断するシールドなどを施すこともなく、また、測定対象となるワイヤハーネスに対して電流プローブを次々に固定する必要もなく、ワイヤハーネス上でループアンテナを移動させることにより、各ワイヤハーネスが周辺ノイズの影響を受けている状態で、各ワイヤハーネスの伝導ノイズを算出することができる結果、伝導ノイズを簡単で正確に測定することが可能である。
【００１７】
［ノイズ計測装置の構成］
次に、図１を用いて、図１に示したノイズ計測装置の構成を説明する。図１は、実施例１に係るノイズ計測装置の構成を示すブロック図である。図１に示すように、このノイズ計測装置１は、ワイヤハーネス１〜５と、解析コンピュータ１０と、スペクトラムアナライザ２０と、アンテナ移動機２２と、ループアンテナ２５と、電子機器３０と、電流供給機４０とを有して構成される。
【００１８】
ここで、伝導ノイズを算出する解析コンピュータ１０を説明する前に、ノイズ計測装置１を構成する他の装置について先に説明する。スペクトラムアナライザ（ＳＰＡ）２０は、後述する解析コンピュータ１０やループアンテナ２５と接続され、横軸を周波数、縦軸を電力または電圧とする二次元のグラフを画面に表示する電気計測器である。具体的には、スペクトラムアナライザ２０は、ループアンテナ２５により検出された磁界（または電流、電圧）を取得し、これを解析した結果として、上記した二次元グラフを表示するとともに、当該結果を解析コンピュータ１０に出力する。
【００１９】
アンテナ移動機２２は、解析コンピュータ１０やループアンテナ２５と接続され、解析コンピュータ１０の指示に従って、ループアンテナ２５を駆動させる機構である。
【００２０】
ループアンテナ２５は、アンテナ移動機２２やスペクトラムアナライザ２０と接続され、磁界を検出するセンサである。具体的には、ループアンテナ２５は、ワイヤハーネス１〜５に平行、かつ、ワイヤハーネス１〜５から所定の距離（例えば、５ｍｍなど）上に位置するように設置される。そして、このような位置関係に設定されたループアンテナ２５は、解析コンピュータ１０の指示操作を受け付けたアンテナ移動機２２の制御に従って、ワイヤハーネス１〜５上を移動するとともに、移動する上で磁界を検出してスペクトラムアナライザ２０に出力する。
【００２１】
なお、ループアンテナ２５は、ワイヤハーネス１〜５上に位置した場合にのみ、磁界を検出するようにしてもよい。また、ループアンテナ２５は、プローブなど磁界を検出するセンサであればいずれのセンサを用いてもよく、形状についても、例えば、図１に示すような四角形（例えば、３００ｍｍ×３００ｍｍ）であってもよく、他の形であってもよい。
【００２２】
電子機器３０は、ワイヤハーネス１〜５を用いて他の電子機器と接続される装置である。電流供給機４０は、ワイヤハーネス１〜５と接続され、ユーザにより設定された値の電流をワイヤハーネス１〜５に供給する。例えば、電流供給機４０は、ワイヤハーネス１に「１０Ａ」、ワイヤハーネス２に「５Ａ」、ワイヤハーネス３に「１５Ａ」、ワイヤハーネス４に「１０Ａ」、ワイヤハーネス５に「２０Ａ」が設定された場合に、それぞれのワイヤハーネスに設定された電流を供給する。
【００２３】
次に、図２を用いて、解析コンピュータ１０の構成について説明する。図２は、実施例１に係るノイズ計測装置における解析コンピュータの構成を示すブロック図である。かかる解析コンピュータ１０は、各種の情報の入力を受付けるキーボードやマウス、マイクなどの入力部や、各種の情報を出力するモニタ（若しくはディスプレイ、タッチパネル）やスピーカなどの出力部を有するとともに、特に本実施例に密接に関連するものとしては、通信Ｉ／Ｆ部１１と、記憶部１２と、制御部１５とを有し、これらによって伝導ノイズを算出するコンピュータである。
【００２４】
通信Ｉ／Ｆ部１１は、接続される他の装置との間でやり取りする各種情報に関する通信を制御するインタフェースであり、例えば、スペクトラムアナライザ２０が解析した結果（例えば、横軸を周波数、縦軸を電力または電圧とする二次元グラフや当該二次元グラフを構成する要素など）を受信したり、ループアンテナ２５に対する位置制御をアンテナ移動機２２に送信したりする。
【００２５】
記憶部１２は、制御部１５による各種処理に必要なデータおよびプログラムを格納するとともに、特に本実施例に密接に関連するものとしては、シミュレーション結果ＤＢ１２ａを有する。
【００２６】
シミュレーション結果ＤＢ１２ａは、予め算出された複数のワイヤハーネスごとのインピーダンスを記憶する。具体的に例を挙げると、シミュレーション結果ＤＢ１２ａは、測定対象となるワイヤハーネス１本ごとに「１Ａ（アンペア）」の電流を供給し、それ以外のワイヤハーネスは「０Ａ（アンペア）」とした状態で、ループアンテナ２５を移動させて測定・解析されたワイヤハーネス１〜５それぞれのインピーダンス（抵抗値）を記憶する。つまり、シミュレーション結果ＤＢ１２ａは、ワイヤハーネス１〜５の５本ある場合には、ワイヤハーネス１〜５のインピーダンス（５つの値）を記憶する。
【００２７】
制御部１５は、ＯＳ（Operating  System）などの制御プログラム、各種の処理手順などを規定したプログラムおよび所要データを格納するための内部メモリを有するとともに、特に、シミュレーション実行部１５ａと、センサ移動制御部１５ｂと、電圧算出部１５ｃと、電流値算出部１５ｄと、ノイズ計測部１５ｅとを有する。
【００２８】
シミュレーション実行部１５ａは、通信Ｉ／Ｆ部１１やシミュレーション結果ＤＢ１２ａと接続され、当該ノイズ計測装置を用いてシミュレーションして、その結果をシミュレーション結果ＤＢ１２ａに格納する。具体的には、シミュレーション実行部１５ａは、図示しない入力部などによりシミュレーションを実行する旨の指示操作が受け付けられた場合に、当該シミュレーションを実行し、抵抗値を算出してシミュレーション結果ＤＢ１２ａに格納する。
【００２９】
一つのシミュレーションを例にして説明すると、シミュレーション実行指示を受け付けたシミュレーション実行部１５ａは、測定対象となるワイヤハーネス１本（例えば、ワイヤハーネス１）に「１Ａ（アンペア）」の電流を供給し、それ以外のワイヤハーネス（例えば、ワイヤハーネス２〜５）は「０Ａ（アンペア）」の電流を供給した状態で、ループアンテナ２５を用いて測定した磁界から得られる電圧と電流（１Ａ）とをオームの法則に代入して、ワイヤハーネス１が周辺ノイズの影響を受けない状況を仮定したインピーダンスを算出する。
【００３０】
そして、シミュレーション実行部１５ａは、ワイヤハーネス２〜５についても、ワイヤハーネス１と同様に、周辺ノイズの影響を受けない状況を仮定したインピーダンスを算出する。そして、シミュレーション実行部１５ａは、算出したワイヤハーネス１〜５のインピーダンスをシミュレーション結果ＤＢ１２ａに格納する。
【００３１】
センサ移動制御部１５ｂは、複数のワイヤハーネスそれぞれに接触させることなく、複数のワイヤハーネス全てを通過させるように、複数のワイヤハーネスから所定の距離上で、磁界を検出するループアンテナ２５を移動させる。具体的には、センサ移動制御部１５ｂは、図示しない入力部などにより測定開始の指示操作が受け付けられた場合に、ワイヤハーネス１〜５に平行、かつ、ワイヤハーネス１〜５から所定の距離（例えば、５ｍｍなど）上に位置するように設置されたループアンテナ２５を、ワイヤハーネス１からワイヤハーネス５の方向（図１の矢印ａ）に移動させるようにアンテナ移動機２２を制御する。
【００３２】
電圧算出部１５ｃは、複数のワイヤハーネスそれぞれに対して所望の電流を供給する状態で、センサ移動制御部１５ｂによりループアンテナ２５が移動させられた場合に、ループアンテナ２５が複数のワイヤハーネスそれぞれの上に位置する状態で検出した磁界に基づいて、複数のワイヤハーネスそれぞれに印加された電圧を算出する。
【００３３】
具体的には、ワイヤハーネス１〜５それぞれに対して、実際に製品となったときに供給される特定周波数の電流値（特定周波数の信号電流）が供給された状態で、センサ移動制御部１５ｂによりワイヤハーネスの上を移動させられたループアンテナ２５は、当該電流によって発生する磁界を検出してスペクトラムアナライザ２０に出力する。そして、電圧算出部１５ｃは、スペクトラムアナライザ２０が得られた磁界、周波数、電力または電圧からワイヤハーネスごとの電圧値を取得して、後述する電流値算出部１５ｄに出力する。
【００３４】
ループアンテナ２５が検出した情報からワイヤハーネス１〜５の電圧を特定する手法としては、例えば、ワイヤハーネス１〜５間の距離が予め決められている場合には、当該距離を用いてワイヤハーネス１〜５上に位置した場合にのみ、ループアンテナ２５が磁界を検出することができる。この場合、ループアンテナ２５は、ワイヤハーネス１〜５上の５つの場所のみで磁界を検出するため、電圧算出部１５ｃは、スペクトルアナライザ２０によりグラフ化された５つの場所の情報からワイヤハーネスごとの電圧値を取得して、後述する電流値算出部１５ｄに出力する。
【００３５】
また、例えば、ワイヤハーネス１〜５上に位置した場合にのみ磁界を検出すると設定されておらず、移動中、磁界を検出し続けるようにしてもよい。この場合、電圧算出部１５ｃは、ループアンテナ２５が移動させられた移動時間でハーネスの位置を算出する（例えば、ハーネスが均等間隔で並んでいる場合には、移動時間を等分した時間で検出された値がハーネス上で検出された値となる）。そして、電圧算出部１５ｃは、スペクトルアナライザ２０によりグラフ化された情報から、算出した位置情報に基づいてワイヤハーネスごとの電圧値として取得し、後述する電流値算出部１５ｄに出力する。
【００３６】
電流値算出部１５ｄは、電圧算出部１５ｃにより算出されたワイヤハーネス１〜５それぞれの電圧値と、予め算出した複数のワイヤハーネス１〜５ごとのインピーダンスとに基づいて、複数のワイヤハーネス１〜５それぞれに流れる電流値を算出する。
【００３７】
具体的には、電流値算出部１５ｄは、ワイヤハーネス１〜５それぞれについて、電圧算出部１５ｃにより実際に製品となったときの特定周波数の電流値と、シミュレーション実行部１５ａにより算出されたワイヤハーネス１〜５それぞれの抵抗値（インピーダンス）とを、オームの法則に代入して逆演算することにより、ワイヤハーネス１〜５の電流値（高周波数ノイズ電流）を算出する。
【００３８】
ノイズ計測部１５ｅは、電流値算出部１５ｄにより算出されたワイヤハーネス１〜５それぞれに流れる電流値に基づいて、伝導ノイズを計測する。具体的には、ノイズ計測部１５ｅは、ワイヤハーネス１〜５それぞれについて、電流値算出部１５ｄにより算出された電流値が閾値（限界値）を越えているか否かを判定することにより、ワイヤハーネスごとの伝導ノイズレベルを算出する。例を挙げると、ノイズ計測部１５ｅは、電流値算出部１５ｄにより算出された電流値の特定の周波数にパルス状の形状のノイズを検出し、このノイズが閾値（限界値）を越えているか否かを判定する。
【００３９】
例えば、ワイヤハーネスの番号を「ｊ」、ワイヤハーネス「ｉ」の上方に置かれたループアンテナの位置を「ｊ」とした場合、ノイズ計測対象となるワイヤハーネス間の相互インダクタンスＭｉｊは、式（１）で表すことができる。そして、ワイヤハーネスに印加される電圧は、この相互インダクタンスＭｉｊを用いた式（２）で算出することができる。また、この式（２）を行列を用いた式に変換すると（例えば、ｊ＝５とすると）、式（３）のように変換することができる。
【００４０】
【数１】
2010151688.tif 000003
【００４１】
【数２】
2010151688.tif 000004
【００４２】
【数３】
2010151688.tif 000005
【００４３】
この式（３）のおける「Ｍ」は、シミュレーション実行部１５ａにより算出された既知の値である。具体的には、シミュレーション実行部１５ａは、予め既知の電流をワイヤハーネス（例えば、ワイヤハーネス１〜Ｎ（Ｎは自然数））に供給して、ループアンテナ２５を移動させてワイヤハーネスに印加される電圧を測定する。そして、シミュレーション実行部１５ａは、供給した既知の電流値と測定した電圧とから相互インダクタンスＭ（インピーダンス：抵抗値）を算出することができる。
【００４４】
次に、ノイズ計測部１５ｅは、上記で算出した既知の「Ｍ」を利用して、実際に製品となった際に供給される特定周波数の電流値と、当該電流値を実際に供給してワイヤハーネスそれぞれから得られる電圧値とを用いることで、ノイズレベルを算出する。
【００４５】
ここで、簡単な構成を挙げて説明する。例えば、図３のように、ワイヤハーネス２本（ワイヤハーネスＡとワイヤハーネスＢ）が接続されおり、ワイヤハーネスＡには電流Ｉ１、ワイヤハーネスＢには電流Ｉ２が供給されている場合に伝導ノイズを算出する例について説明する。この場合、ループアンテナを介した磁界で算出されたワイヤハーネスＡに印加される電圧Ｖ１、ワイヤハーネスＡに印加される電圧Ｖ２とすると、これらの電流と電圧とから式（４）が成立する。
【００４６】
【数４】
2010151688.tif 000006
【００４７】
そして、「Ｉ１＝１（Ａ）、Ｉ２＝０（Ａ）」としてシミュレーションを行った場合、式（４）より、「Ｖ１＝Ｚ１１、Ｖ２＝Ｚ２１」と定義でき、「Ｉ１＝０（Ａ）、Ｉ２＝１（Ａ）」としてシミュレーションを行った場合、式（４）より、「Ｖ１＝Ｚ１２、Ｖ２＝Ｚ２２」と定義できる。つまり、ワイヤハーネスＡが周辺ノイズの影響を受けない状況を仮定したインピーダンスが「Ｖ１＝Ｚ１１、Ｖ２＝Ｚ２１」であり、ワイヤハーネスＢが周辺ノイズの影響を受けない状況を仮定したインピーダンスが「Ｖ１＝Ｚ１２、Ｖ２＝Ｚ２２」である。
【００４８】
このような状態において、製品となった場合に供給される特定周波数の電流（ＩＡ、ＩＢ）を供給した場合、ワイヤハーネスそれぞれに印加される電圧「ＶＡ、ＶＢ」が計測されたとする。その場合に、「ＶＡ、ＶＢ」と上記「Ｖ１＝Ｚ１１、Ｖ２＝Ｚ２１、Ｖ１＝Ｚ１２、Ｖ２＝Ｚ２２」とを式（４）に代入して、演算することにより、「Ｉ１、Ｉ２」を算出することができる。
【００４９】
そして、ここで算出した電流値「Ｉ１、Ｉ２」が高周波ノイズ電流であり、この値が所定の閾値（限界値）を超えるか否かにより、ワイヤハーネスＡ、Ｂそれぞれのノイズレベルを計測することができる。
【００５０】
［ノイズ計測装置による処理］
次に、図４と図５を用いて、ノイズ計測装置による処理を説明する。図４は、実施例１に係るノイズ計測装置におけるシミュレーション処理の流れを示すフローチャートであり、図５は、実施例１に係るノイズ計測装置におけるノイズ計測処理の流れを示すフローチャートである。
【００５１】
（シミュレーション処理の流れ）
図４に示すように、ノイズ計測装置１は、解析コンピュータ１０上に図示しない入力部などによりシミュレーションを実行する旨の指示操作が受け付けられた場合に（ステップＳ１０１肯定）、シミュレーションを行う電流値を電流供給機４０に設定して、ワイヤハーネスに供給させた状態で（ステップＳ１０２）、ループアンテナ２５を移動させて電圧値を測定・算出する（ステップＳ１０３）。
【００５２】
そして、ノイズ計測装置１は、シミュレーションを行った電流値と、ループアンテナ２５で測定した電圧値とを用いたオームの法則より、ワイヤハーネスごとの抵抗値（インピーダンス）を算出する（ステップＳ１０４）。
【００５３】
そして、ノイズ計測装置１は、ワイヤハーネスそれぞれのシミュレーション状態における抵抗値が算出できた場合に（ステップＳ１０５肯定）、処理を終了し、ワイヤハーネスそれぞれのシミュレーション状態における抵抗値が算出できない場合に（ステップＳ１０５否定）、ステップＳ１０２に戻って上記処理を繰り返す。
【００５４】
例えば、ノイズ計測装置１は、測定対象となるワイヤハーネス１本（例えば、ワイヤハーネス１）に「１Ａ（アンペア）」の電流を供給し、それ以外のワイヤハーネス（例えば、ワイヤハーネス２〜５）は「０Ａ（アンペア）」の電流を供給した状態で、ループアンテナ２５を用いて測定した磁界から得られる電圧と電流（１Ａ）とをオームの法則に代入して、ワイヤハーネス１が周辺ノイズの影響を受けない状況を仮定したインピーダンスを算出する。この処理を接続されるワイヤハーネスそれぞれについて実行する。
【００５５】
（ノイズ計測処理の流れ）
図５に示すように、ノイズ計測装置１は、解析コンピュータ１０上に図示しない入力部などによりノイズ計測開始の指示操作が受け付けられた場合に（ステップＳ２０１肯定）、当該ワイヤハーネスが製品となった場合に供給される実際の電流値（特定周波数の電流）を電流供給機４０に設定して、ワイヤハーネスに供給させた状態で（ステップＳ２０２）、ループアンテナ２５を移動させて、ワイヤハーネスそれぞれに印加された電圧を測定・算出する（ステップＳ２０３）。
【００５６】
そして、ノイズ計測装置１は、ワイヤハーネスそれぞれについて、図４で算出した「シミュレーション電流値が供給された場合のインピーダンス」と、図５で算出した「特定周波集の高周波電流が供給された場合のインピーダンス」とを用いて、複数のワイヤハーネスそれぞれに流れる電流値（高周波ノイズ電流）を算出する（ステップＳ２０４）。
【００５７】
その後、ノイズ計測装置１は、各ワイヤハーネスごとの電流値と閾値とを比較することにより、ノイズレベルを計測し、必要に応じて解析コンピュータ１０上の表示部などに出力する（ステップＳ２０５）。
【００５８】
［実施例１による効果］
このように、実施例１によれば、周辺ノイズを遮断するシールドなどを施すこともなく、また、測定対象となるワイヤハーネスに対して電流プローブを次々に固定する必要もなく、ワイヤハーネス上でループアンテナを移動させるだけで、各ワイヤハーネスが周辺ノイズの影響を受けている状態で、各ワイヤハーネスの伝導ノイズを算出することができる結果、伝導ノイズを簡単で正確に測定することが可能である。
【００５９】
また、実施例１によれば、実際に電流を供給したシミュレーションや計算上で算出したシミュレーションなど様々なシミュレーション結果を用いることができ、実際のノイズ計測時には特別な処理を必要としない。その結果、伝導ノイズを簡単で正確に測定することが可能である。
【実施例２】
【００６０】
さて、これまで本発明の実施例について説明したが、本発明は上述した実施例以外にも、種々の異なる形態にて実施されてよいものである。そこで、以下に示す異なる実施例を説明する。
【００６１】
［センサ］
例えば、実施例１では、ループアンテナを用いた場合について説明したが、本発明はこれに限定されるものではなく、プローブなど磁界を検出するセンサであればいずれのセンサを用いてもよく、形状についても、例えば、四角形（例えば、３００ｍｍ×３００ｍｍ）であってもよく、他の形であってもよい。
【００６２】
［シミュレーション］
また、実施例１では、他のワイヤハーネスからのノイズを受けない状況を想定した環境下においてシミュレーションを実行したが、本発明はこれに限定されるものではなく、各ワイヤハーネスのインピーダンスを算出できるのであれば、どのような任意の環境下を想定しシミュレーションを実行してもよく、式（３）などの計算式のみを用いて算出してもよい。
【００６３】
［システム構成等］
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６５】
［プログラム］
なお、本実施例で説明したノイズ計測方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００６６】
以上のように、本発明に係るノイズ計測装置およびノイズ計測方法は、電子機器を接続する複数のワイヤハーネスの伝導ノイズを算出することに有用であり、特に、伝導ノイズを簡単で正確に測定することに適する。
【図面の簡単な説明】
【００６７】
【図１】実施例１に係るノイズ計測装置の構成を示すブロック図である。
【図２】実施例１に係るノイズ計測装置における解析コンピュータの構成を示すブロック図である。
【図３】ノイズ計測例を示すための構成図である。
【図４】実施例１に係るノイズ計測装置におけるシミュレーション処理の流れを示すフローチャートである。
【図５】実施例１に係るノイズ計測装置におけるノイズ計測処理の流れを示すフローチャートである。
【図６】従来技術を説明するための図である。
【符号の説明】
【００６８】
１  ノイズ計測装置
１０  解析コンピュータ
１１  通信Ｉ／Ｆ部
１２  記憶部
１２ａ  シミュレーション結果ＤＢ
１５  制御部
１５ａ  シミュレーション実行部
１５ｂ  センサ移動制御部
１５ｃ  電圧算出部
１５ｄ  電流値算出部
１５ｅ  ノイズ計測部
２０  スペクトラムアナライザ
２２  アンテナ移動機
２５  ループアンテナ
３０  電子機器
４０  電流供給機
【図１】
2010151688.tif 000007
【図２】
2010151688.tif 000008
【図３】
2010151688.tif 000009
【図４】
2010151688.tif 000010
【図５】
2010151688.tif 000011
【図６】
2010151688.tif 000012